(57)【要約】【課題】粘度測定を簡便に行い、粘度測定後のキャピラリーレオメーターの洗浄を簡単に短時間に行なう。【解決手段】測定用シリンダー（６）内に試料（Ｍ）を充填し、圧子（１）で試料（Ｍ）を加圧してシリンダー（６）下端に連通させたキャピラリー（Ｃ）から試料（Ｍ）を吐出させ、その際の平衡圧により粘度を測定するキャピラリーレオメーターにおいて、シリンダー側面開口部（７）に試料および洗浄液を供給する供給機構（Ｐ）を設ける。【選択図】　　　　図１
2004028772.tif 000002
【特許請求の範囲】
【請求項１】
測定用シリンダー内に試料を充填し、圧子で試料を加圧してシリンダー下端に連通させたキャピラリーから試料を吐出させ、その際の平衡圧により粘度を測定するキャピラリーレオメーターにおいて、シリンダーの側面開口部に試料および洗浄液を供給する機構を設けたことを特徴とするキャピラリーレオメーター。
【請求項２】
試料および洗浄液の供給機構は試料供給口と洗浄液供給口とを備え、この両者は併用されていることを特徴とする請求項１のキャピラリーレオメーター。
【請求項３】
試料供給機構は横方向スライドする試料押し出し具を備え、その先端押圧部がシリンダーの側面開口部を閉鎖することを特徴とする請求項１のキャピラリーレオメーター。
【請求項４】
試料供給機構の押し出し具の先端押圧部が洗浄液供給口を閉鎖することを特徴とする請求項１のキャピラリーレオメーター。
【発明の詳細な説明】
【０００１】
【発明の属する技術分野】
この出願の発明はキャピラリーレオメーターに関するものであり、さらに詳しくは、樹脂や建材あるいは食品等の分野で比較的粘度の高い材料試料の粘度を測定するのに有用な、改善された新しいキャピラリーレオメーターに関するものである。
【０００２】
【従来の技術】
レオメーター（Ｒｈｅｏｍｅｔｅｒ）　は粘度が高い材料の粘度測定器として使用されている。このレオメーターには回転型（平行平板型、円筒型）とキャピラリー型（毛細管型）があるが、キャピラリー型粘度測定器は普通キャピラリーレオメーター（Ｃａｐｉｌｌａｒｙ　　Ｒｈｅｏｍｅｔｅｒ）と呼ばれており、樹脂や建材あるいは食品等の原料の粘度を測定するのに適しているとされている。
【０００３】
このキャピラリーレオメーターの概要を図９に従って説明すると、装置の上方にはシリンダー（６）とこのシリンダー（６）中に充填した試料（Ｍ）を毛管のキャピラリー（Ｃ）から押し出すための圧子（１）が設けられており、シリンダー（６）の下端に連通させたキャピラリー（Ｃ）において試料（Ｍ）の粘度が測定される。
【０００４】
すなわち、シリンダー（６）の直径およびキャピラリー（Ｃ）の直径（Ｄ）はそれぞれの単位面積に対する負荷圧力を評価するために正確に測定されており、シリンダー（６）に試料（Ｍ）を供給した後、圧子（１）で押圧してシリンダー（６）の試料（Ｍ）をキャピラリー（Ｃ）内に押し出し、単位時間当たりの流量を一定に保ちながら圧子（１）への付加圧力とキャピラリー（Ｃ）出口圧力との差を測定することにより粘度が測定されることになる。
【０００５】
【発明が解決しようとする課題】
しかしながら、以上のとおりの従来のキャピラリーレオメーターの場合には、シリンダー（６）に試料を供給するごとに圧子（１）をシリンダー（６）から抜き取り、試料を供給した後に再び圧子（１）をシリンダー（６）に装填しなければならないため、多数の試料の粘度を測定する場合には作業性が悪く、測定のたびに圧子（１）をシリンダー（６）から抜き取って溶剤を入れて洗浄をする必要があり、粘度測定や粘度測定の後の洗浄のために多くの時間を必要とするという欠点があった。
【０００６】
そこで、この出願の発明は、このような従来の問題点を解消し、シリンダー（６）内への試料の供給を簡便に行なうことができ、かつ、粘度測定した後の洗浄を容易とすることのできる、改善された新しいキャピラリーレオメーター（Ｃａｐｉｌｌａｒｙ　　Ｒｈｅｏｍｅｔｅｒ）を提供することを課題としている。
【０００７】
【課題を解決するための手段】
この出願の発明は、上記の課題を解決するためのものとして、第１には、測定用シリンダー内に試料を充填し、圧子で試料を加圧してシリンダー下端に連通させたキャピラリーから試料を吐出させ、その際の平衡圧により粘度を測定するキャピラリーレオメーターにおいて、シリンダーの側面開口部に試料および洗浄液を供給する機構を設けたことを特徴とするキャピラリーレオメーターを供給し、第２には、試料および洗浄液の供給機構は、試料供給口と洗浄液供給口とを備え、この両者は併用されていることを特徴とする上記キャピラリーレオメーターを、また、第３には、試料供給機構は横方向スライドする試料押し出し具を備え、その先端押圧部がシリンダーの側面開口部を閉鎖する上記キャピラリーレオメーターを、第４には、試料供給機構の押し出し具の先端押圧部が洗浄液供給口を閉鎖する上記キャピラリーレオメーターを提供する。
【０００８】
【発明の実施の形態】
この出願の発明は上記のとおりの特徴をもつものであるが、以下にその実施の形態について説明する。
【０００９】
この出願の発明のキャピラリーレオメーター（Ｃａｐｉｌｌａｒｙ　　Ｒｈｅｏｍｅｔｅｒ）は、キャピラリーに試料を供給するシリンダーの側面に試料と洗浄液の供給が可能な供給機構を設ける点に特徴を有するものであり、この試料と洗浄液を供給する機構を設けることによって粘度の測定と粘度を測定した後の洗浄を簡便に、さらには連続しておこなうこともできるものである。
【００１０】
この出願の発明のキャピラリーレオメーターの機構を図１ないし図４に従って例示説明する。
【００１１】
図１はシリンダー（６）の側面に設けられた供給機構（Ｐ）に試料（Ｍ）を供給している状態を示した模式図である。キャピラリーレオメーターは側面に開口部（７）が設けられたシリンダー（６）とシリンダー（６）の試料をキャピラリー（Ｃ）へ押し出すための圧子（１）とシリンダー（６）の下端に設けられたキャピラリー（Ｃ）およびシリンダー（６）に試料および洗浄液を供給するための供給機構（Ｐ）から構成されている。試料および洗浄液の供給機構（Ｐ）には、その上方に試料供給口（４）および試料供給口を開閉する蓋（３）が設けられている。そして、供給機構（Ｐ）の下方には試料供給口（４）とは別に洗浄液供給口（５）が設けられている。
【００１２】
試料の供給に際しては、まず供給機構（Ｐ）の上方に設けられている試料供給口（４）を閉鎖している蓋（３）開けて試料（Ｍ）を供給する。図面では試料（Ｍ）は角型に図示されているが、実際上の試料（Ｍ）は粘性液状であるため図１に示したような形状にはならないが、操作の手順を簡単に説明するために角型形状に図示されている。なお、この試料（Ｍ）を供給する際は試料押し出し具（２）は洗浄液供給口（５）を閉鎖する位置に設けることが必要である。
【００１３】
図２は押し出しロッド（８）で支持された押し出し具（２）によって試料（Ｍ）をシリンダー（６）内へ供給している状態を示した断面図であるが、この時の押し出し具（２）の先端はシリンダー（６）側面に設けられている試料供給口（７）まで移動させてシリンダー（６）の側面の材料供給口を閉鎖する。
【００１４】
第３図はシリンダー（６）側面の開口部を押し出し具（２）で閉鎖した状態で圧子（１）を押圧してシリンダー（６）内の試料（Ｍ）をキャピラリー（Ｃ）内に圧入してキャピラリー（Ｃ）先端から試料（Ｍ）を矢印方向（９）に吐出させている状態を示した断面図である。試料を一定時間吐出させてキャピラリー（Ｃ）先端からの単位時間当たりの吐出量が一定になった状態でピストンへの付加圧力とキャピラリー出口圧力の差、つまり平衡圧を測定することにより粘度を測定するものである。
【００１５】
第４図は粘度測定後の洗浄をしている状態を示した断面図である。この時試料押し出し具（２）は洗浄液供給口（５）を開口する位置に移動させる。また圧子（１）を上端に移動させて洗浄液（Ｓ）が自由に供給機構（Ｐ）やシリンダー（６）そしてキャピラリー（Ｃ）内を経由して矢印方向に流れるようにする。
【００１６】
このようにして、この出願の発明であるキャピラリーレオメーターは圧子（１）を粘度測定毎にシリンダー（６）から引き抜くことなく試料（Ｍ）の供給と洗浄を可能にするものである。
【００１７】
図５ないし図８に示されているキャピラリーレオメーターは図１ないし図４に従って説明してきたキャピラリーレオメーターの機構とは違って試料の供給口と洗浄液供給口とを併用する機構の態様を示したものである。
【００１８】
図５は試料（Ｍ）を供給している状態を示した断面図であり、また図６は試料（Ｍ）を試料押し出し具（２）でシリンダー（６）に供給している状態を示した断面図であり、そして、図７は圧子（１）で試料（Ｍ）をキャピラリー（Ｃ）に圧入している状態を示した断面図である。図８は粘度測定後に洗浄液（Ｓ）を矢印方向（１０）に圧送しながら洗浄している状態を示した断面図である。
【００１９】
図５に示されているものは先の図１で説明したものとは違って洗浄液供給口（５）を利用して試料（Ｍ）を矢印方向（９）に供給している状態を示したものである。この試料供給路（５）は途中洗浄液供給路へ分岐している。
【００２０】
また、図８は粘度測定後洗浄液を供給している状態を示したものであるが、この時は洗浄液供給路が開口され、試料供給路は閉鎖された状態となっている。
【００２１】
このキャピラリーレオメーターは材料供給の方法を除いては図１ないし図４で示したキャピラリーレオメーターと同じであり、操作の詳細は省略する。
【００２２】
もちろん、この出願の発明は以上の例によって限定されるものではない。その細部の形態において様々であってよい。
【００２３】
【発明の効果】
以上詳しく説明したとおり、この出願の発明は、試料をシリンダーにセットする際に圧子をシリンダーから抜き取ることなく試料をセットすることができ、また粘度測定後の洗浄においても圧子をシリンダーから抜き取ることなく溶剤を入れることが可能であり、測定や洗浄のための時間を短縮することができる。
【図面の簡単な説明】
【図１】試料供給装置へ試料を装填した状態を示す断面模式図である。
【図２】シリンダー内へ試料を供給した状態を示す断面図である。
【図３】粘度測定のためにキャピラリーレオメーターへ試料を導入および排出している状態を示す断面図である。
【図４】試料の粘度を測定後キャピラリーレオメーターを洗浄液で洗浄している状態を示す断面図である。
【図５】試料供給口と洗浄口が同じ装置を使用して試料を装填した状態を示す断面模式図である。
【図６】試料供給口と洗浄口が同じ装置を使用してシリンダー内へ試料を供給した状態を示す断面図である。
【図７】試料供給口と洗浄口が同じ装置を使用して粘度測定のためにキャピラリーレオメーターへ試料を導入および排出している状態を示す断面図である。
【図８】試料供給口と洗浄口が同じ装置を使用して材料の粘度を測定後キャピラリーレオメーターを洗浄液で洗浄している状態を示す断面図である。
【図９】従来のキャピラリーレオメーターの断面図である。
【符号の説明】
１　圧子
２　押し出し具
３　蓋
４　材料供給口
５　洗浄液および試料供給口
６　シリンダー
７　シリンダー側面開口部
８　押圧ロッド
９　試料の流れ方向
１０　洗浄液の流れ方向
Ｃ　キャピラリー
Ｄ　キャピラリー直径
Ｈ　キャピラリーの長さ
Ｍ　試料
Ｐ　試料および洗浄液供給機構
Ｓ　洗浄液
【図１】
2004028772.tif 000003
【図２】
2004028772.tif 000004
【図３】
2004028772.tif 000005
【図４】
2004028772.tif 000006
【図５】
2004028772.tif 000007
【図６】
2004028772.tif 000008
【図７】
2004028772.tif 000009
【図８】
2004028772.tif 000010
【図９】
2004028772.tif 000011